(57)【特許請求の範囲】
【請求項１】
複数の図柄が周面に施された回転体と、前記回転体を回転駆動する駆動装置とを備え、前記駆動装置の作動により前記回転体を回転させるとともに前記回転体を停止させて所定の図柄を表示させる遊技機の回転表示装置において、
前記回転体の側面に形成され前記回転体の周方向に延びる円弧状の突部からなる被検出部と、
前記回転体の周方向に間隔を保った状態で前記回転体の側面に対向して配置され、それぞれが、前記被検出部を検出する複数の検出装置と、
前記複数の検出装置から検出信号を受信しその検出信号から、前記複数の検出装置がそれぞれ前記被検出部を検出している状態、前記被検出部を検出していない状態、前記被検出部を検出している状態から検出していない状態に変わったときおよび前記被検出部を検出していない状態から検出している状態に変わったときの４つの状態の中のいずれの状態にあるかを判定し、前記複数の検出装置の検出状態の組み合わせに応じて前記駆動装置の作動を停止させることにより、前記検出状態の組み合わせに対応する図柄を表示する制御装置とを備え、
前記複数の検出装置の検出状態の組み合わせを、前記複数の検出装置の検出状態のいずれか一つが前記被検出部を検出している状態から検出していない状態に変わったときと前記被検出部を検出していない状態から検出している状態に変わったときとのいずれかの状態であるものとし、さらに、
前記被検出部の円弧状の長さと前記複数の検出装置の前記被検出部に沿った間隔との長さを異なるものにして前記図柄の数が前記検出装置の数の２倍になるようにするとともに、
前記被検出部を構成する突部の円弧状を前記回転体の回転軸を中心とした半円状に形成し、前記複数の検出装置を、前記回転体の回転軸を中心として３６０度／図柄の数になる角度の間隔を保って配置したことを特徴とする遊技機の回転表示装置。
【請求項２】
前記複数の図柄のうちの所定の図柄を指定する指定信号を発信する指定信号発信装置を備え、前記制御装置が、前記指定信号発信装置から指定信号を受信したのちに、前記検出装置の検出状態の組み合わせが前記指定信号に対応したものになったときに前記駆動装置を停止させるようにした請求項１に記載の遊技機の回転表示装置。
【請求項３】
前記図柄が前記回転体の周面に４つ施されている請求項１または２に記載の遊技機の回転表示装置。
【請求項４】
前記回転体が、前記図柄が施された表示面の周方向の幅が同じになった四角柱状または四角筒状に形成され、各表示面にそれぞれ異なる図柄が施されている請求項３に記載の遊技機の回転表示装置。
【請求項５】
前記図柄が前記回転体の周面に６つ施されている請求項１または２に記載の遊技機の回転表示装置。
【請求項６】
前記回転体が、前記図柄が施された表示面の周方向の幅が同じになった六角柱状または六角筒状に形成され各表示面にそれぞれ異なる図柄が施されている請求項５に記載の遊技機の回転表示装置。
【発明の詳細な説明】
【技術分野】
【０００１】
本発明は、複数の図柄が周面に施された回転体を回転させるとともにその回転を停止させて所定の図柄を表示する遊技機の回転表示装置に関する。
【背景技術】
【０００２】
従来から、パチンコ機やスロットルマシン等の遊技機においては、複数の図柄が周面に施された回転体を回転させるとともに、その回転を停止させて所定の図柄を表示することにより、入賞の有無、リーチおよび通常モードや大当たり状態のような種々の遊技状態を表すことが行われている（例えば、特許文献１参照。）。
【０００３】
この遊技機（遊技台）が備える回転表示装置は、周面に複数の図柄が施され端面に周方向に間隔を保って２個の遮光板が設けられた円筒状のリールと、リールを回転するステッピングモータと、遮光板の通過を検出する光センサとを備えている。さらに、この回転表示装置は、ステッピングモータを回転させるためのパルスを出力する手段と、出力したパルスの数をカウントする手段と、光センサが検出した遮光板の種類を判定する手段と、カウント手段のカウント値を更新する手段とを備えている。
【０００４】
そして、リールの回転制御は、光センサが遮光板の通過を検出したときの位置を基準としてステッピングモータに供給するパルスを調節することにより行われる。このステッピングモータは、４００パルスの供給により１回転するように構成されている。また、リールの回転方向や光センサを通過した遮光板の種類に基づいてリールの回転位置の再セットが行われ、この再セットが、リールが１回転する間に２度行われる。このため、ステッピングモータが脱調していてもリールの回転位置を迅速に再セットすることができる。
【先行技術文献】
【特許文献】
【０００５】
【特許文献１】特開２００２−２８２４２０号公報
【発明の概要】
【０００６】
しかしながら、前述した回転表示装置では、ステッピングモータが脱調した場合にリールの回転位置を迅速に再セットすることができるが、脱調により図柄にずれが生じることを防止することはできない。また、複雑な制御が必要になるという問題もある。
【０００７】
本発明は、前述した問題に対処するためになされたもので、その目的は、表示される図柄にずれが生じることを防止でき、かつ制御が簡単になる遊技機の回転表示装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明に係る遊技機の回転表示装置の構成上の特徴は、複数の図柄が周面に施された回転体（２１、５１）と、回転体を回転駆動する駆動装置（３０）とを備え、駆動装置の作動により回転体を回転させるとともに回転体を停止させて所定の図柄を表示させる遊技機（１０）の回転表示装置（２０）において、回転体の側面に形成され回転体の周方向に延びる円弧状の突部からなる被検出部（２７）と、回転体の周方向に間隔を保った状態で回転体の側面に対向して配置され、それぞれが、被検出部を検出する複数の検出装置（３５，３６、５５、５６、５７）と、複数の検出装置から検出信号を受信しその検出信号から、複数の検出装置がそれぞれ被検出部を検出している状態、被検出部を検出していない状態、被検出部を検出している状態から検出していない状態に変わったときおよび被検出部を検出していない状態から検出している状態に変わったときの４つの状態の中のいずれの状態にあるかを判定し、複数の検出装置の検出状態の組み合わせに応じて駆動装置の作動を停止させることにより、検出状態の組み合わせに対応する図柄を表示する制御装置（４０）とを備え、複数の検出装置の検出状態の組み合わせを、複数の検出装置の検出状態のいずれか一つが被検出部を検出している状態から検出していない状態に変わったときと被検出部を検出していない状態から検出している状態に変わったときとのいずれかの状態であるものとし、さらに、被検出部の円弧状の長さと複数の検出装置の被検出部に沿った間隔との長さを異なるものにして図柄の数が検出装置の数の２倍になるようにするとともに、被検出部を構成する突部の円弧状を回転体の回転軸（２６）を中心とした半円状に形成し、複数の検出装置を、回転体の回転軸を中心として３６０度／図柄の数になる角度の間隔を保って配置したことにある。
【０００９】
本発明に係る遊技機の回転表示装置では、複数の検出装置のそれぞれの検出状態の組み合わせをそれぞれ所定の図柄が施された表示面に対応させている。すなわち、複数の検出装置の検出状態の組み合わせが所定の組み合わせになったときに、その組み合わせに対応する図柄が施された表示面が遊技機の表面に位置するようにしている。このため、複数の検出装置の検出状態の組み合わせに対応する図柄を遊技機の表面に位置させて表示することができる。また、複数の検出装置による被検出部の検出の有無だけで表示する図柄が施された表示面を決定できるため簡単な制御ですむ。
【００１０】
また、本発明では、複数の検出装置の検出状態の組み合わせの中に、被検出部を検出している状態から検出していない状態に変わったときと被検出部を検出していない状態から検出している状態に変わったときとのいずれかの状態が含むようにしている。これによると、複数の検出装置のそれぞれが被検出部を検出している状態から検出していない状態に変わったときと、被検出部を検出していない状態から検出している状態に変わったときとの瞬時の位置が図柄を表示させるための基準位置になるため、より正確な位置で回転体を停止させることができる。また、本発明によると、一つの検出装置で２つの図柄が施された表示面の位置を検出できるため、回転体に施される図柄の数は最大検出装置の数の２倍になる。
【００１１】
なお、本発明においては、駆動装置が作動しているときに複数の検出装置からの検出信号に基づいて駆動装置の作動を停止させるようにしてもよいし、駆動装置が作動を停止しているときに複数の検出装置からの検出信号に基づいて駆動装置が作動を開始して複数の検出装置の検出状態の組み合わせに応じたタイミングで駆動装置が作動を停止するようにしてもよい。また、複数の図柄は、それぞれ「通常モード」、「大当たり」、「確率変動モード」および「時短モード」等の遊技状態を表すものとすることができる。さらに、本発明における図柄には、絵模様の他に、文字や数字も含むものとする。
【００１２】
また、本発明に係る遊技機の回転表示装置では、図柄の数が検出装置の数の２倍になるようにしている。これは、被検出部の円弧状の長さと複数の検出装置の被検出部に沿った間隔との長さを異なるものにすることにより可能になる。これによると、検出装置の数に対する最大数の図柄を回転体の周面に施すことができる。
【００１３】
また、本発明に係る遊技機の回転表示装置では、被検出部を構成する突部の円弧状を回転体の回転軸を中心とした半円状に形成し、複数の検出装置を、回転体の回転軸を中心として３６０度／図柄の数になる角度の間隔を保って配置している。
【００１４】
本発明によると、回転体を等角度で回転していくことにより、表示される図柄が順次変更するようになる。例えば、検出装置の数を２個とした場合、図柄の最大数は４つになり、このときの２個の検出装置の間隔は９０度になる。このため、一方の検出装置が被検出部の一方の端部から他方の端部に位置するまでには回転体は１８０度、すなわち半周回転するようになり、他方の検出装置が被検出部の一方の端部から他方の端部に位置するまでにも回転体は１８０度回転する。そして、２個の検出装置は９０度の間隔を保って配置されているため、回転体が９０度回転するたびに２個の検出装置のどちらかが被検出部のどちらかの端部に位置するようになる。このため、２個の検出装置がそれぞれ被検出部のどちらかの端部に位置するときに回転体の４つの図柄のいずれかが表面に位置して表示されるようにすることにより、各図柄を位置ずれさせることなく正確に表示することができる。
【００１５】
同様に、検出装置の数を３個とした場合、図柄の最大数は６つになり、このときの３個の検出装置の間隔は６０度になる。そして、この場合も、各検出装置が被検出部の一方の端部から他方の端部に位置するまでには回転体は１８０度回転する。そして、３個の検出装置が６０度の間隔を保って配置されているため、回転体が６０度回転するたびに３個の検出装置のいずれかが被検出部のどちらかの端部に位置するようになる。このため、３個の検出装置がそれぞれ被検出部のどちらかの端部に位置するときに回転体の６つの図柄のいずれかが表面に位置して表示されるようにすることにより、各図柄を位置ずれさせることなく正確に表示することができる。また、本発明によると、回転体の周面にむだなスペースをなくして全面に表示可能な図柄を施すことができる
【００１６】
また、本発明に係る遊技機の回転表示装置の他の構成上の特徴は、複数の図柄のうちの所定の図柄を指定する指定信号を発信する指定信号発信装置（３８）を備え、制御装置が、指定信号発信装置から指定信号（３８ａ，３８ｂ，３８ｃ，３８ｄ）を受信したのちに、検出装置の検出状態の組み合わせが指定信号に対応したものになったときに駆動装置を停止させるようにしたことにある。
【００１７】
この場合の指定信号発信装置としては、例えば、抽選回路等の抽選機能を備えた装置を用いることができる。この場合、チャッカーに入賞すると乱数が発生し、その乱数が所定の遊技状態に対応して設定された数と一致するようにしておく。例えば、「大当たり」の確率を１／２４０とすると、２４０個のうち１つだけを「大当たり」の数字として決めておき、チャッカーに入賞して発生した乱数が「大当たり」の数字と一致すると「大当たり」となる。そして、これらの数値と図柄とを対応させておき、指定信号発生装置がこの数値に対応する指定信号を発信することにより、制御装置の制御によって抽選された数値に対応する図柄を表示することができる。
【００１８】
また、本発明に係る遊技機の回転表示装置のさらに他の構成上の特徴は、図柄が回転体（２１）の周面に４つ施されていることにある。この場合、回転体は、円柱状や円筒状に形成することもできるが、この回転体は、図柄が施された表示面（Ａ、Ｂ、Ｃ、Ｄ）の周方向の幅が同じになった四角柱状または四角筒状に形成され各表示面にそれぞれ異なる図柄が施されていることが好ましい。これによると、遊技機の正面から回転体の各表示面が見易くなる。
【００１９】
また、本発明に係る遊技機の回転表示装置のさらに他の構成上の特徴は、図柄が回転体（５１）の周面に６つ施されていることにある。この場合も、回転体は、円柱状や円筒状に形成することもできるが、この回転体は、図柄が施された表示面（Ｅ、Ｆ、Ｇ、Ｈ、Ｉ、Ｊ）の周方向の幅が同じになった六角柱状または六角筒状に形成され各表示面にそれぞれ異なる図柄が施されていることが好ましい。
【図面の簡単な説明】
【００２０】
【図１】本発明の第１実施形態に係る回転表示装置を備えたパチンコ機を示した正面図である。
【図２】回転表示装置の概略を示した構成図である。
【図３】回転表示装置が備える回転体を収容部に設置した状態を示した斜視図である。
【図４】図３に示した収容部からカバー部材を除いた状態を示した斜視図である。
【図５】図４に示した収容部から基板を除いた状態を示した斜視図である。
【図６】回転体の遮蔽板に一対のセンサを対向させた状態を示した斜視図である。
【図７】収容部に設置された回転体をステッピングモータに連結される側から見た状態を示した斜視図である。
【図８】回転体の各表示面に対する遮蔽板とセンサとの関係を示した説明図であり、（ａ）はＡ面が表示された状態、（ｂ）はＢ面が表示された状態、（ｃ）はＣ面が表示された状態、（ｄ）はＤ面が表示された状態をそれぞれ示している。
【図９】本発明の第２実施形態に係る回転表示装置に備わった回転体の各表示面に対する遮蔽板とセンサとの関係を示した説明図であり、（ａ）はＥ面が表示された状態、（ｂ）はＦ面が表示された状態、（ｃ）はＧ面が表示された状態、（ｄ）はＨ面が表示された状態、（ｅ）はＩ面が表示された状態、（ｆ）はＪ面が表示された状態をそれぞれ示している。
【発明を実施するための形態】
【００２１】
（第１実施形態）
以下、本発明の第１実施形態を図面を用いて説明する。図１は同実施形態に係る回転表示装置２０を備えたパチンコ機１０を示している。パチンコ機１０の表面における遊技領域１１の中央には液晶画面１２が設けられており、この液晶画面１２の右上部分に回転表示装置２０が設置されている。液晶画面１２は、演出効果を発揮するための画像を表示し、回転表示装置２０は、液晶画面１２に連動して作動して遊技状態を表すための簡単な図柄を表示する。この回転表示装置２０は、回転することにより４つの異なる図柄を表示する回転体２１を備えている。
【００２２】
また、パチンコ機１０の表面における遊技領域１１の下方には、遊技球（図示せず）を一旦溜めて順次発射位置に供給する上皿１３や、上皿１３から間隔を保って１個ずつ供給される遊技球を遊技領域１１内に向けて発射するハンドル１４を含む球発射装置が設けられている。上皿１３の下方には、遊技球を溜めるための下皿１５が設けられている。さらに、遊技領域１１における回転表示装置２０の下方に２つの入賞装置１６，１７とアウト口１８とが、前述した順に、上方から下方に間隔を保って設けられている。
【００２３】
入賞装置１６は、いわゆるチャッカーを構成する入賞口であり、入賞装置１６内に遊技球が入ると所定数の賞球が、パチンコ機１０の裏面上部に設置された上タンクから上皿１３に送られる。また、入賞装置１７は、いわゆるアタッカーを構成する入賞口であり、「大当たり」の際に、所定時間開閉することにより遊技球を入賞し易くする。アウト口１８は、入賞装置１６，１７に入らなかった遊技球を通過させてパチンコ機１０の下方に設置された回収タンクに送るためのゲート穴である。
【００２４】
回転表示装置２０は、図２に概略構成図を示したように、回転体２１の他、本発明に係る駆動装置としてのステッピングモータ３０、本発明に係る検出装置としての一対のセンサ３５，３６および制御装置４０等で構成されている。ステッピングモータ３０は、回転体２１を回転させ、制御装置４０はステッピングモータ３０の作動を制御する。また、一対のセンサ３５，３６は、回転体２１の軸周り方向の位置を検出するために設けられている。回転体２１は、図３ないし図５に示したように、収容部２２内に設置されており、この収容部２２は遊技領域１１内に設けられている。
【００２５】
収容部２２は、収容本体２２ａと、一対のカバー部材２３，２４とで構成されている。収容本体２２ａは、正面および両側面が開放され、側面視が半円状に形成された凹部が形成された横長の枠状体で構成されている。そして、収容本体２２ａの開放された両側面を塞ぐようにして、収容本体２２ａの両側にカバー部材２３，２４が着脱自在に組み付けられている。回転体２１は、それぞれ異なる図柄が施された平面状の表示面Ａ〜Ｄ（図８（ａ）から図８（ｄ）参照）が周面に形成された筒状本体２１ａの両側に側面部２１ｂ，２１ｃ（図７参照）を組み付けることにより全体形状が略四角柱状に形成されている。
【００２６】
この回転体２１は、軸方向を収容部２２の長手方向に揃えた状態で収容部２２内に配置され、収容部２２内で軸周り方向に後述する支持軸２６を中心として回転することにより、表示面Ａ〜Ｄに施された各図柄を収容部２２の正面開口から露出させる。この際、回転体２１は、収容本体２２ａの曲面からなる内周面に対して僅かな間隔を保って回転する。回転体２１の一方の側面部２１ｂは、図５および図６に示したように構成されており、この側面部２１ｂは、四角形の板部材の中央に本発明に係る回転軸としての支持軸２６（図７参照）を通すための挿通穴２１ｄを形成して構成されている。
【００２７】
そして、側面部２１ｂの外面における外周側部分に円弧状の突部からなる本発明に係る被検出部としての遮蔽板２７が設けられている。この遮蔽板２７は、細長い板状体を円弧状に湾曲させ、湾曲した一方の縁部を側面部２１ｂに固定することにより、挿通穴２１ｄの中心を中心とする半円状（挿通穴２１ｄの中心を中心とする１８０度の角度の範囲）に形成されている。また、側面部２１ｂとカバー部材２３との間には、図４に示した基板２５が取り付けられている。基板２５は、支持軸２６を通すための挿通穴２５ａを備えた板部材で構成されており、側面部２１ｂと間隔を保った状態で側面部２１ｂに対向して配置されている。この基板２５は、２個のねじ２８とカバー部材２３に形成された係合溝２３ａとによってカバー部材２３に固定されている。
【００２８】
カバー部材２３は、カバー本体２３ｂと、カバー本体２３ｂの周縁部における後部を除いた部分から収容本体２２ａ側に突出する周壁部２３ｃとで構成されており、周壁部２３ｃの内周面に、基板２５の周縁部が係合可能な係合溝２３ａが形成されている。基板２５は、周縁部の前部および上下部を係合溝２３ａ内にスライドさせるようにしてカバー部材２３内に後方から収容され、２個のねじ２８によって、カバー部材２３に固定されている。なお、カバー本体２３ｂには、ねじ２８が挿通する２つの挿通穴が形成され、基板２５には、ねじ２８が螺合する２つのねじ穴２５ｂが形成されている。また、カバー本体２３ｂの中央部分には、支持軸２６を通した状態で支持する支持穴２３ｄが形成されている。
【００２９】
基板２５における側面部２１ｂに対向する面には、センサ３５，３６が互いに間隔を保ち、かつ遮蔽板２７に対向した状態で取り付けられている。センサ３５，３６は、それぞれ発光部と受光部とを備えたコ字状の形状に形成されたフォトセンサで構成されており、回転体２１が回転するときに、遮蔽板２７が発光部と受光部との間を通過できる位置に配置されている。また、センサ３５，３６は、それぞれ基板２５の挿通穴２５ａの中心から等距離の位置に、互いに９０度の間隔を保って配置されている。図６に示した状態では、センサ３５は、側面部２１ｂの挿通穴２１ｄの中心から垂直に上方に延びる仮想線を時計周り方向に４５度回転した位置に位置し、センサ３６は、１３５度回転した位置に位置している。
【００３０】
また、基板２５の外面後部の上下方向の中央には、配線を介してセンサ３５，３６に接続されたコネクタ２９が取り付けられている。このコネクタ２９は、制御装置４０から延びてくる配線の先端に取り付けられたコネクタ（図示せず）に接続される。カバー部材２３のカバー本体２３ｂにおけるコネクタ２９に対応する部分には、左右に貫通した長孔がカバー部材２３の後部から支持穴２３ｄにかけて形成されている。この長孔によって、コネクタ２９に対する他のコネクタの接続や接続解除の操作をカバー部材２３が妨げないようにしている。
【００３１】
また、図７は、カバー部材２４を取り外した状態の収容部２２に収容された回転体２１の左側を示している。筒状本体２１ａの左側部に組み付けられた側面部２１ｃは、四角形の板部材の中央に支持軸２６を通すための挿通穴（図示せず）を形成して構成されている。そして、側面部２１ｃの外面における挿通穴を挿通した支持軸２６の端部外周側部分には、減速ギア３１が取り付けられている。なお、前述した挿通穴２１ｄ，２５ａ、支持穴２３ｄ、支持軸２６、側面部２１ｃの挿通穴および減速ギア３１は同軸になるように配置されている。
【００３２】
また、側面部２１ｃの外面における減速ギア３１の横には、減速ギア３１に歯合するモータギア３２が配置されている。このモータギア３２は、ステッピングモータ３０の本体（図示せず）から延びる回転軸３３の先端に取り付けられており、回転軸３３を介して伝達されるステッピングモータ３０の駆動力を減速ギア３１に伝える。このため、ステッピングモータ３０が作動すると、回転軸３３が回転し、回転軸３３の回転がモータギア３２を介して減速ギア３１に伝わり減速ギア３１とともに支持軸２６および回転体２１が回転する。
【００３３】
また、減速ギア３１の歯数は、モータギア３２の歯数よりも多くなっている。これによって、減速ギア３１の回転数はモータギア３２の回転数よりも少なくなり、ステッピングモータ３０の駆動力は減速されて減速ギア３１に伝わる。これらのステッピングモータ３０、モータギア３２および減速ギア３１等で構成される駆動機構は、側面部２１ｃにカバー部材２４を取り付けることによって外部からは見えなくなる。
【００３４】
また、回転表示装置２０には、前述した各装置の他、図２に示した始動信号発生部３７や本発明に係る指定信号発信装置としての指定信号発生部３８も備わっている。始動信号発生部３７は、例えば、パチンコ機１０の表面における所定部分に設けた押しボタンで構成し、この押しボタンを押圧操作したときに、始動信号が制御装置４０に発信されてステッピングモータ３０の作動により回転体２１が回転するようにすることができる。また、始動信号発生部３７は、センサで構成してハンドル１４の近傍に設置することもできる。この場合、ハンドル１４が回転操作されたときに、ハンドル１４が停止位置から離れたことを始動信号発生部３７が検出しその検出信号を制御装置４０に送信するようにする。
【００３５】
また、指定信号発生部３８は、表示面Ａ〜Ｄの４つの表示面に施された図柄を表示させるための指定信号３８ａ，３８ｂ，３８ｃ，３８ｄを発生する装置で構成されている。指定信号発生部３８は抽選機能を備えており、抽選により所定の数値を指定したときに、その指定信号３８ａ，３８ｂ，３８ｃ，３８ｄのいずれかを制御装置４０に送信する。また、入賞装置１６の近傍には、センサが設置されており、このセンサが遊技球を検出したときに、抽選が行われる。すなわち、遊技球が入賞装置１６に入賞すると乱数が発生し、その中から所定の数値が決定される。そして、これらの数値と図柄とを対応させておき、指定信号発生部３８がこの数値に対応する指定信号を発信することにより抽選された数値に対応する図柄が表示される。
【００３６】
また、制御装置４０は、ＣＰＵ４１、ＲＯＭ４２、ＲＡＭ４３およびタイマ４４を備えている。この制御装置４０は、接続配線を介して、センサ３５，３６、始動信号発生部３７、指定信号発生部３８およびステッピングモータ３０に接続され、センサ３５，３６、始動信号発生部３７、指定信号発生部３８から送られる信号に基づいてステッピングモータ３０の作動を制御する。ＲＯＭ４２には、ＣＰＵ４１が実行するためのプログラムや各種のデータ等が記憶され、ＲＡＭ４３には、ＣＰＵ４１によるプログラムの実行時に一時的にデータが記憶される。ＲＡＭ４３が記憶するデータには、センサ３５，３６の検出値や経過時間等が含まれる。なお、回転表示装置２０は、ＲＯＭ４２に記憶されたプログラムにしたがって作動する。
【００３７】
つぎに、回転体２１の各表示面Ａ〜Ｄを表示するための回転表示装置２０の作動について図８（ａ）ないし図８（ｄ）および下記の表１を用いて説明する。
【表１】
0005724092.tif 000002
【００３８】
図８（ａ）ないし図８（ｄ）においては、図示の左側が収容部２２の正面開口側になり、表示面Ａ〜Ｄは、この位置で停止したときに表示される。表示面Ａは、「通常モード」を表す図柄が施された面であり、指定信号発生部３８から指定信号３８ａが発信されたときに制御装置４０の制御により表示される。表示面Ｂは、「大当たり」の状態を表す図柄が施された面であり、指定信号発生部３８から指定信号３８ｂが発信されたときに制御装置４０の制御により表示される。表示面Ｃは、「確率変動モード」を表す図柄が施された面であり、指定信号発生部３８から指定信号３８ｃが発信されたときに制御装置４０の制御により表示される。表示面Ｄは、「時短モード」を表す図柄が施された面であり指定信号発生部３８から指定信号３８ｄが発信されたときに制御装置４０の制御により表示される。
【００３９】
そして、上皿１３に遊技球を入れ、ハンドル１４を回転操作することによって、遊技球は遊技領域１１に向かって順次発射される。この時点では、液晶画面１２には、「通常モード」に応じた演出画像が表示され、回転表示装置２０には、遊技状態が「通常モード」であることを示す図柄が表示されている。そして、遊技球が入賞装置１６に入賞すると、抽選が行われ、抽選結果に応じた信号が制御装置４０に送信される。この抽選結果が「通常モード」に対応したものであれば、指定信号発生部３８から指定信号３８ａが制御装置４０に発信されるが、この場合、そのままの状態が維持される。このとき、遮蔽板２７の位置は、図８（ａ）のようになっており、この状態では、センサ３５は遮蔽板２７を検出するオン状態になっており、センサ３６は、遮蔽板２７を検出するオン状態から遮蔽板２７を検出しないオフ状態にかわる時期にある。
【００４０】
また、抽選によって「大当たり」の状態になり、指定信号発生部３８が発信する指定信号３８ｂを制御装置４０が受信すると、ＣＰＵ４１は、ステッピングモータ３０を作動させて回転体２１を回転させる。回転体２１は、例えば、図８（ａ）ないし図８（ｄ）に示したように、右側面から見た状態で反時計周り方向に回転する。そして、図８（ｂ）に示したように、センサ３５が遮蔽板２７を検出したオン状態から遮蔽板２７を検出しないオフ状態にかわり、センサ３６が、遮蔽板２７を検出しないオフ状態になったときに、回転体２１の表示面Ｂを表示させた状態でステッピングモータ３０の作動を停止する。
【００４１】
このとき、入賞装置１７が間欠的に開閉して遊技球が入りやすくなる。なお、センサ３５，３６が発信する信号は所定の短時間ごとに制御装置４０が受信するようになっており、この場合、センサ３６がオフ状態を維持し、センサ３５がオン状態からオフ状態に変わった瞬間に、ＣＰＵ４１は、ステッピングモータ３０の作動を停止させる。これによって、表示面Ｂに施された図柄が表示されたところで回転体２１は停止する。
【００４２】
また、「大当たり」の状態は所定時間経過後に解除されて、自動的に「通常モード」に変更される。この所定時間は予め設定されており、制御装置４０が指定信号発生部３８からの指定信号３８ｂを受信してから所定時間が経過したことをタイマ４４が計測すると、ＣＰＵ４１は、再度、ステッピングモータ３０を作動させる。そして、遮蔽板２７の位置が、図８（ａ）の位置になったときに、ステッピングモータ３０の作動を停止させる。なお、所定時間が経過する前に、再度、抽選により「大当たり」の状態になるとそのときから時間がカウントされ、所定時間が経過するまで「大当たり」の状態が継続される。
【００４３】
また、抽選によって「確率変動モード」になり、指定信号発生部３８が発信する指定信号３８ｃを制御装置４０が受信すると、ＣＰＵ４１は、ステッピングモータ３０を作動させて回転体２１を回転させる。そして、図８（ｃ）に示したように、センサ３５が遮蔽板２７を検出しないオフ状態になり、センサ３６が遮蔽板２７を検出しないオフ状態から遮蔽板２７を検出するオン状態にかわったときに、回転体２１の表示面Ｃを表示させた状態でステッピングモータ３０の作動を停止する。このとき、「大当たり」のでる確率が上がる。
【００４４】
また、抽選によって「時短モード」になり、指定信号発生部３８が発信する指定信号３８ｄを制御装置４０が受信すると、ＣＰＵ４１は、ステッピングモータ３０を作動させて回転体２１を回転させる。そして、図８（ｄ）に示したように、センサ３６が遮蔽板２７を検出するオン状態になり、センサ３５が遮蔽板２７を検出しないオフ状態から遮蔽板２７を検出するオン状態にかわったときに、回転体２１の表示面Ｄを表示させた状態でステッピングモータ３０の作動を停止する。このとき、入賞装置１７の開放時間が延長されるモードになる。
【００４５】
このようにして、回転表示装置２０の作動が行われる。そして、ハンドル１４の回転操作が停止され、ハンドル１４が停止位置に戻るとプレイは終了する。この場合、遊技者は、通常、「大当たり」、「確率変動モード」および「時短モード」などの有利な状態でプレイを止めることはないため、「通常モード」になっている。このため、回転体２１の表示面Ａが表示された状態になる。
【００４６】
このように、センサ３５，３６のそれぞれの検出状態の組み合わせを各表示面Ａ〜Ｄに対応させ、さらに、その組み合わせの一方にオン状態からオフ状態にかわる時期とオフ状態からオン状態にかわるときとの一方を含ませている。そして、これらの状態は、瞬時に発生するものである。このため、ステッピングモータ３０に脱調などが生じても、表示面Ａ〜Ｄをずれのない正確な位置に停止させることができる。また、センサ３５，３６による遮蔽板２７の検出の有無だけで表示する図柄が施された表示面Ａ〜Ｄを決定できるため簡単な制御ですむ。
【００４７】
また、遮蔽板２７を回転体２１の回転中心軸を中心とした半円状に形成し、センサ３５，３６を、回転体２１の回転中心軸を中心として９０度の角度の間隔を保って配置している。このため、回転体２１を９０度ずつ回転していくことにより、表示面Ａ〜Ｄが順番に表示されるようになる。この結果、周方向の幅が同じに形成された各表示面Ａ〜Ｄは、回転体２１が停止するたびに正確に収容部２２の正面開口に位置するようになる。
【００４８】
（第２実施形態）
また、図９（ａ）ないし図９（ｆ）は、本発明の第２実施形態に係る回転表示装置において、回転体５１の表示面Ｅ〜Ｊが表示されるときのセンサ５５，５６，５７と遮蔽板５８との関係を示している。この回転体５１は、全体形状が略六角柱状に形成されている。そして、遮蔽板５８は、回転体５１の回転中心軸を中心とする半円状に形成され、遮蔽板５８に対向して、３個のセンサ５５，５６，５７が設けられている。センサ５５，５６，５７は、それぞれ回転体５１の回転中心軸から等距離の位置に、互いに６０度の間隔を保った状態で配置されている。
【００４９】
図９（ａ）ないし図９（ｆ）に示した状態では、センサ５５は、回転体５１の中心から垂直に上方に延びる仮想線を時計周り方向に３０度回転した位置に位置し、センサ５６は９０度回転した位置に位置し、センサ５７は１５０度回転した位置に位置している。また、図示は省略するが、この回転表示装置の指定信号発信部３８は、回転体５１の表示面Ｅ〜Ｊに対応する６種類の指定信号を発信する。この回転表示装置のそれ以外の部分の構成は、前述した回転表示装置２０と同一である。したがって、説明は省略する。
【００５０】
つぎに、この回転表示装置が作動する際に、各表示面Ｅ〜Ｊが表示されるときのセンサ５５，５６，５７のそれぞれの検出状態を下記の表２を用いて説明する。
【表２】
0005724092.tif 000003
【００５１】
この場合、表示面Ｅが初期位置となる面であり、回転表示装置の作動前は、表示面Ｅが表示されている。また、図９（ａ）ないし図９（Ｆ）においては、図示の左側が収容部２２の正面開口側になる。そして、ハンドル１４が回転操作されることによってプレイが開始される。プレイの際に、表示面Ｆを表示させる信号が指定信号発生部３８から発信されこれを制御装置４０が受信すると、ＣＰＵ４１は、ステッピングモータ３０を作動させて回転体５１を回転させ、図９（ｂ）に示したように、センサ５５，５６がオフ状態で、センサ５７がオフ状態からオン状態にかわったときにステッピングモータ３０の作動を停止する。
【００５２】
また、表示面Ｇを表示させる信号が指定信号発生部３８から制御装置４０に送信されると、ＣＰＵ４１は、ステッピングモータ３０を作動させて回転体５１を回転させ、図９（ｃ）に示したように、センサ５５がオフ状態で、センサ５７がオン状態で、センサ５６がオフ状態からオン状態にかわったときにステッピングモータ３０の作動を停止する。同様にして、表示面Ｈを表示させる信号が指定信号発生部３８から制御装置４０に送信されると、ＣＰＵ４１は、ステッピングモータ３０を作動させて回転体５１を回転させ、図９（ｄ）に示したように、センサ５６，５７がオン状態で、センサ５５がオフ状態からオン状態にかわったときにステッピングモータ３０の作動を停止する。表示面Ｉを表示させる信号が指定信号発生部３８から制御装置４０に送信されると、ＣＰＵ４１は、ステッピングモータ３０を作動させて回転体５１を回転させ、図９（ｅ）に示したように、センサ５５，５６がオン状態で、センサ５７がオン状態からオフ状態にかわったときにステッピングモータ３０の作動を停止する。
【００５３】
また、表示面Ｊを表示させる信号が指定信号発生部３８から制御装置４０に送信されると、ＣＰＵ４１は、ステッピングモータ３０を作動させて回転体５１を回転させ、図９（ｆ）に示したように、センサ５５がオン状態で、センサ５７がオフ状態で、センサ５６がオン状態からオフ状態にかわったときにステッピングモータ３０の作動を停止する。そして、表示面Ｅを表示させる信号が指定信号発生部３８から制御装置４０に送信されると、ＣＰＵ４１は、ステッピングモータ３０を作動させて回転体５１を回転させ、図９（ａ）に示したように、センサ５６，５７がオフ状態で、センサ５５がオン状態からオフ状態にかわったときにステッピングモータ３０の作動を停止する。
【００５４】
このように、この回転表示装置では、センサ５５，５６，５７のそれぞれの検出状態の組み合わせを各表示面Ｅ〜Ｊに対応させ、さらに、その組み合わせの一方にオン状態からオフ状態にかわる時期とオフ状態からオン状態にかわるときの一方の瞬時に発生する状態を含ませている。このため、表示面Ｅ〜Ｊを正確な位置に停止させることができる。この場合も、センサ５５，５６，５７による遮蔽板５８の検出の有無だけで表示する図柄が施された表示面Ｅ〜Ｊを決定できるため簡単な制御ですむ。
【００５５】
また、この回転表示装置では、遮蔽板５８を半円状に形成し、センサ５５，５６，５７を、回転体５１の回転中心を中心として６０度の角度の間隔を保って配置している。このため、回転体５１を６０度ずつ回転していくことにより、表示面Ｅ〜Ｊが順番に表示されるようになる。この結果、周方向の幅が同じに形成された各表示面Ｅ〜Ｊは、回転体５１が停止するたびに正確に収容部２２の正面開口に位置するようになる。
【００５６】
本発明に係る遊技機の回転表示装置は、前述した各実施形態に限定するものでなく、適宜変更することができる。例えば、前述した実施形態では指定信号発生部３８を設けて、指定信号発生部３８からの指定信号３８ａ等を制御装置４０が受信したときに、ステッピングモータ３０の作動が停止するようにしているが、指定信号発生部３８を省略して、所定時間ごとに、ステッピングモータ３０を作動させることにより、各表示面Ａ〜ＤやＥ〜Ｊが所定の順番に表示されるようにしてもよい。また、指定信号発生部３８を、リーチの状態になったとき等、前述した遊技状態以外の状態に応じた信号を発信する装置で構成することもできる。
【００５７】
さらに、始動信号発生部３７を前述した押しボタンやセンサに代えて、上皿１３の近傍に設置したセンサで構成しセンサが上皿１２内の遊技球検出したときに信号を発生するようにしてもよい。この始動信号発生部３７は、プレイ開始時に、回転体２１，５１の表示面が初期位置である表示面Ａ，Ｅ以外の面になっている場合に、ステッピングモータ３０を作動させて表示面Ａ，Ｅを表示させるために用いてもよい。これらの始動信号発生部３７や指定信号発生部３８等としては、種々のものを用いることができ、回転表示装置２０等の動作等についても、前述した実施形態の方法に限らず適宜変更することができる。本発明においては、回転体２１，５１の回転を停止させて各表示面Ａ〜ＤやＥ〜Ｊを表示させるときのセンサ３５，３６と遮蔽板２７との位置関係やセンサ５５〜５７と遮蔽板５８との位置関係が重要である。
【００５８】
また、前述した回転表示装置２０では、遮蔽板２７を、回転体２１の回転中心軸を中心とする半円状に形成して、センサ３５，３６を、基板２５の挿通穴２５ａの中心から等距離の位置に、９０度の間隔を保って配置しているが、これに代えて、遮蔽板２７を、回転体２１の回転中心軸を中心とする１／４円状に形成して、センサ３５，３６を、基板２５の挿通穴２５ａの中心から等距離の位置に、４５度の間隔を保って配置してもよい。これによっても、回転表示装置２０と同様の作用効果を得ることができる。また、遮蔽板２７の長さやセンサ３５，３６の間隔を前述した値以外に変更することもできるが、円周方向の長さにおいて、遮蔽板２７の長さとセンサ３５，３６の間隔とは異なる長さにすることが好ましい。
【００５９】
さらに、前述した実施形態では、回転体２１，５１が、図８（ａ）〜図８（ｄ）や図９（ａ）〜図９（ｆ）の状態で反時計周り方向に回転するようにしているが、この回転は時計周り方向にしてもよい。また、本発明に係る遊技機は、パチンコ機１０に限らず、スロットルマシンであってもよい。さらに、本発明に係る遊技機の回転表示装置のそれ以外の部分の構成についても本発明の技術的範囲内で適宜変更して実施することが可能である。
【符号の説明】
【００６０】
１０…パチンコ機、２０…回転表示装置、２１，５１…回転体、２６…支持軸、２７，５８…遮蔽板、３０…ステッピングモータ、３５，３６，５５，５６，５７…センサ、３８…指定信号発生部、３８ａ，３８ｂ，３８ｃ…指定信号、４０…制御装置、５８…遮蔽板、Ａ，Ｂ，Ｃ，Ｄ，Ｅ，Ｆ，Ｇ，Ｈ，Ｉ，Ｊ…表示面。
【図１】
0005724092.tif 000004
【図２】
0005724092.tif 000005
【図３】
0005724092.tif 000006
【図４】
0005724092.tif 000007
【図５】
0005724092.tif 000008
【図６】
0005724092.tif 000009
【図７】
0005724092.tif 000010
【図８】
0005724092.tif 000011
【図９】
0005724092.tif 000012